(57)【要約】    【課題】  音声データと映像データとを含むデータを再生する場合、同期を逸脱しない範囲で、ジッターの発生の少ない再生を行う。    【解決手段】  受信装置クロック制御モードで動作したことのある増幅装置が接続された場合、音声データと映像データとを含むデータであっても、再生装置と増幅装置とのクロックのずれが、所定の範囲内であれば、受信装置クロック制御モードで再生することができるデータ送受信システムを提供する。    【選択図】  図１
2006261777.tif 000002
【特許請求の範囲】
【請求項１】
映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムにおける前記データ送信装置であって、
装置の動作を制御するクロックを送信側クロックとして生成する送信側クロック生成手段と、
前記データ受信装置側で、前記送信側クロックに同期したクロックを受信側クロックとして生成して、当該送信側クロックとの同期をとる送信装置クロック制御モードにより前記データ送受信システムのクロックの同期を制御する第一の同期制御手段と、
前記データ受信装置で検出した前記受信側クロックと前記送信側クロックとの差異に応じて前記データ送信装置側で、前記送信側クロックを調整することにより、前記受信側クロックと前記送信側クロックとの同期をとる受信装置クロック制御モードにより前記データ送受信システムのクロックの同期を制御する第二の同期制御手段と、
音声データおよび映像データのいずれか一方のみのデータの再生を行う場合、前記第一の同期制御手段に動作の制御を行わせ、音声データおよび映像データの両方を含むデータの再生を行う場合、前記第二の同期制御手段に動作の制御を行わせる再生制御手段と、
前記接続されているデータ受信装置を特定する受信装置特定手段と、
前記送信側クロックと前記受信側クロックとの差異を検出するクロック差異検出手段と、を備え、
前記再生制御手段は、
前記受信装置クロック制御モードでの動作の要求を受け付けると、前記受信装置特定手段で特定したデータ受信装置が、受信装置クロック制御モードで動作したことがある場合、前記クロック差異検出手段が検出した差異が、予め定めた範囲内の場合、前記音声データおよび映像データの両方を含むデータを再生する場合であっても、前記第一の同期制御手段に同期を制御させること
を特徴とするデータ送信装置。
【請求項２】
映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムにおける前記データ受信装置であって、
装置の動作を制御するクロックを受信側クロックとして生成する受信側クロック生成手段と、
前記データ送信装置が、前記データ受信装置で検出した前記データ送信装置で生成する送信側クロックと前記受信側クロックとの差異に従って前記受信側クロックと前記送信側クロックとの同期をとる受信装置クロック制御モードで前記データ送受信システムのクロックの同期を制御する場合、前記データ送信装置から受け取った前記データから前記送信側クロックを抽出し、前記受信側クロックとの差異を検出し、検出した差異を補正する制御信号を生成し、前記データ送信装置に出力する制御信号生成出力手段を備えること
を特徴とするデータ受信装置。
【請求項３】
映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムであって、
前記データ送信装置は、
装置の動作を制御するクロックを送信側クロックとして生成する送信側クロック生成手段と、
前記データ受信装置側で、前記送信側クロックに同期したクロックを受信側クロックとして生成して、当該送信側クロックとの同期をとる送信装置クロック制御モードにより前記データ送受信システムのクロックの同期を制御する第一の同期制御手段と、
前記データ受信装置で検出した前記受信側クロックと前記送信側クロックとの差異に応じて前記データ送信装置側で、前記送信側クロックを調整することにより、前記受信側クロックと前記送信側クロックとの同期をとる受信装置クロック制御モードにより前記データ送受信システムのクロックの同期を制御する第二の同期制御手段と、
音声データおよび映像データのいずれか一方のみのデータの再生を行う場合、前記第一の同期制御手段に動作の制御を行わせ、音声データおよび映像データの両方を含むデータの再生を行う場合、前記第二の同期制御手段に動作の制御を行わせる再生制御手段と、
前記接続されているデータ受信装置を特定する受信装置特定手段と、
前記送信側クロックと前記受信側クロックとの差異を検出するクロック差異検出手段と、を備え、
前記データ受信装置は、
前記受信側クロックを生成する受信側クロック生成手段と、
前記受信装置クロック制御モードで動作する場合、前記受信側クロックと前記送信側クロックとの差異を検出し、差異を補正する制御信号を生成し、前記データ送信手段に送出する制御信号生成出力手段と、を備え、
前記クロック差異検出手段は、前記制御信号の種別と頻度により差異を検出し、
前記再生制御手段は、
前記受信装置クロック制御モードでの動作の要求を受け付けると、前記受信装置特定手段で特定したデータ受信装置が、受信装置クロック制御モードで動作したことがある場合、前記クロック差異検出手段が検出した差異が、予め定めた範囲内の場合、前記音声データおよび映像データの両方を含むデータを再生する場合であっても、前記第一の同期制御手段に同期を制御させること
を特徴とするデータ送受信システム。
【請求項４】
映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムにおける前記データ送信装置であって、
音声データのためのクロック（送信側音声クロック）を生成する音声用クロック生成手段と、
映像データのためのクロック(送信側映像クロック)を生成する映像用クロック生成手段と、
前記データ受信装置側で、前記送信側音声クロックに同期したクロックを受信側クロックとして生成して、当該送信側音声クロックとの同期をとる送信装置クロック制御モードにより前記データ送受信システムのクロックの同期を制御する第一の同期制御手段と、
前記データ受信装置で検出した前記受信側クロックと前記送信側音声クロックとの差異に応じて前記データ送信装置側で、前記送信側音声クロックを調整することにより、前記受信側クロックと前記送信側音声クロックとの同期をとる受信装置クロック制御モードにより前記データ送受信システムのクロックの同期を制御する第二の同期制御手段と、
音声データおよび映像データのいずれか一方のみのデータの再生を行う場合、前記第一の同期制御手段に動作の制御を行わせ、音声データおよび映像データの両方を含むデータの再生を行う場合、前記第二の同期制御手段に動作の制御を行わせる再生制御手段と、
前記接続されているデータ受信装置を特定する受信装置特定手段と、
前記送信側音声クロックと前記受信側クロックとの差異を検出するクロック差異検出手段と、
前記送信側映像クロックを前記送信側音声クロックに同期させる映像クロック同期手段と、
を備え、
前記再生制御手段は、
前記受信装置クロック制御モードでの動作の要求を受け付けると、前記受信装置特定手段で特定したデータ受信装置が、受信装置クロック制御モードで動作したことがある場合、前記クロック差異検出手段が検出した差異が、予め定めた範囲内の場合、前記音声データおよび映像データの両方を含むデータを再生する場合であっても、前記映像クロック同期手段に前記送信側映像クロックを前記送信側音声クロックに同期させるとともに、前記第一の同期制御手段に同期を制御させること
を特徴とするデータ送信装置。
【請求項５】
映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムであって、
前記データ送信装置は、
音声データのためのクロック（送信側音声クロック）を生成する音声用クロック生成手段と、
映像データのためのクロック(送信側映像クロック)を生成する映像用クロック生成手段と、
前記データ受信装置側で、前記送信側音声クロックに同期したクロックを受信側クロックとして生成して、当該送信側音声クロックとの同期をとる送信装置クロック制御モードにより前記データ送受信システムのクロックの同期を制御する第一の同期制御手段と、
前記データ受信装置で検出した前記受信側クロックと前記送信側音声クロックとの差異に応じて前記データ送信装置側で、前記送信側音声クロックを調整することにより、前記受信側クロックと前記送信側音声クロックとの同期をとる受信装置クロック制御モードにより前記データ送受信システムのクロックの同期を制御する第二の同期制御手段と、
音声データおよび映像データのいずれか一方のみのデータの再生を行う場合、前記第一の同期制御手段に動作の制御を行わせ、音声データおよび映像データの両方を含むデータの再生を行う場合、前記第二の同期制御手段に動作の制御を行わせる再生制御手段と、
前記接続されているデータ受信装置を特定する受信装置特定手段と、
前記送信側音声クロックと前記受信側クロックとの差異を検出するクロック差異検出手段と、
前記送信側映像クロックを前記送信側音声クロックに同期させる映像クロック同期手段と、を備え、
前記データ受信装置は、
前記受信側クロックを生成する受信側クロック生成手段と、
前記受信装置クロック制御モードで動作する場合、前記受信側クロックと前記送信側クロックとの差異を検出し、差異を補正する制御信号を生成し、前記データ送信手段に送出する制御信号生成出力手段と、を備え、
前記クロック差異検出手段は、前記制御信号の種別と頻度により差異を検出し、
前記再生制御手段は、
前記受信装置クロック制御モードでの動作の要求を受け付けると、前記受信装置特定手段で特定したデータ受信装置が、受信装置クロック制御モードで動作したことがある場合、前記クロック差異検出手段が検出した差異が、予め定めた範囲内の場合、前記音声データおよび映像データの両方を含むデータを再生する場合であっても、前記映像クロック同期手段に前記送信側映像クロックを前記送信側音声クロックに同期させるとともに、前記第一の同期制御手段に同期を制御させること
を特徴とするデータ送受信システム。
【発明の詳細な説明】
【技術分野】
【０００１】
本発明は、デジタルインタフェースを介して、データの送受信を行うデータ送信装置、データ受信装置、および、データ送信装置とデータ受信装置とを備えるデータ送受信システムに関する。
【背景技術】
【０００２】
デジタル・バーサタイル・ディスク（ＤＶＤ）などの光ディスクを再生し、光ディスクに記録されているデジタルデータ(映像データ、音声データ等)を出力する再生装置と、再生装置から出力されたデジタルデータを受信し、当該デジタルデータのうち音声データを増幅してスピーカに出力し、映像データをモニタに出力する増幅装置とを備えるシステムがある。近年、このシステムの再生装置と増幅装置との間の音声データの伝送に、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃ Ｅｎｇｉｎｅｅｒｓ）１３９４インタフェースなどのデジタルインタフェースが用いられ始めている。
【０００３】
デジタルインタフェースを用いて再生装置と増幅装置との間で音声データの伝送を行うシステムにおいては、増幅装置のクロック生成手段が生成したマスタークロックと再生装置のクロック生成手段が生成したマスタークロックとが同期していない場合、再生装置から受信した音声データを増幅装置側が正常に復元できず、音声データを再生した際にノイズが発生したり、音声データが途切れたりすることがある。
【０００４】
再生装置と増幅装置とのマスタークロックの同期をとる方法として、増幅装置側で、再生装置から送信されてくるデジタルデータに同期したマスタークロックを生成し、当該マスタークロックを用いて再生装置から送られてきた音声データを復号化してデータを復元する方法が開示されている（例えば、特許文献１参照。）。以後、本方法により同期をとる動作モードを、本明細書では、送信装置クロック制御モードと呼ぶ。
【０００５】
また、増幅装置において、マスタークロックのずれを監視し、再生装置にフィードバックする方法がある。具体的には、増幅装置において、増幅装置が内部で生成したマスタークロックと再生装置から送信されてくるデジタルデータとが同期しているか否かを検出し、同期してない場合、マスタークロックとデジタルデータとのずれを補正するためのクロック情報を生成し、再生装置に送信する。再生装置は、増幅装置からのクロック情報に基づいてマスタークロックを調整し、調整後のマスタークロックを用いて音声データを符号化して増幅装置に送信する（例えば、特許文献２参照。）。以後、本方法により同期をとる動作モードを、本明細書では、受信装置クロック制御モードと呼ぶ。
【０００６】
【特許文献１】特開２００３−３２５７２号公報
【特許文献２】特開平６−２９６１７３号公報
【発明の開示】
【発明が解決しようとする課題】
【０００７】
受信側の増幅装置は、基準クロックの生成にＶＣＯ（Ｖｏｌｔａｇｅ  Ｃｏｎｔｒｏｌｌｅｄ  Ｏｓｃｉｌｌａｔｏｒ）を用いる。ＶＣＯは、発振周波数固定水晶発振器等の発振器を備え、この発振器の発振を利用して制御部等から入力される制御電圧に対応する周波数のクロックを生成して出力する。ＶＣＯでは、例えば、制御電圧０．１Ｖ〜４．９Ｖに対応して中心制御電圧２．５Ｖのときに中心周波数２４．５７６ＭＨｚの周波数のクロックを発振し、中心周波数に対し±１０００ｐｐｍの範囲(２４．５７６ＭＨｚ+１０００ｐｐｍ〜２４．５７６ＭＨｚ-１０００ｐｐｍ)で発振周波数を変化させることが可能である。ところが、ＶＣＯでは、発振クロックの周波数が変動すると、マスタークロックが変動し、それが原因でオーディオ信号にジッターが発生し、音質が劣化するという問題がある。
【０００８】
一方、送信側の再生装置では、基準クロックの生成に、ＶＣＸＯ（Ｖｏｌｔａｇｅ  Ｃｏｎｔｒｏｌｌｅｄ  Ｘｔａｌ  Ｏｓｃｉｌｌａｔｏｒ）が用いられる。ＶＣＸＯは、制御部等から入力される制御電圧に対応する周波数のクロックを水晶発振器の発振を利用して生成して出力する。ＶＣＸＯは、例えば、制御電圧０．１Ｖ〜４．９Ｖに対応して中心制御電圧２．５Ｖのときに中心周波数２４．５７６ＭＨｚの周波数のクロックを発振し、中心周波数に対し±５０ｐｐｍの範囲(２４．５７６ＭＨｚ+５０ｐｐｍ〜２４．５７６ＭＨｚ-５０ｐｐｍ)で発振周波数を変化させることが可能である。すなわち、ＶＣＸＯは、発振周波数の可変範囲がＶＣＯに比べて狭い。
【０００９】
特許文献１に開示されている方法、すなわち、増幅装置が再生装置のマスタークロックに同期したマスタークロックを生成し、同期をとる方法では、受信側の増幅装置において、マスタークロックを絶えず調整する必要がある。従って、マスタークロックを調整するたびに、発振クロックの周波数が変動し、上述のジッターが発生し、音質が劣化する問題が発生する。
【００１０】
一方、特許文献２に開示されている方法、すなわち、増幅装置が増幅装置内部で生成したマスタークロックに同期するように再生装置のマスタークロックの周波数を制御することにより同期をとる方法では、再生装置側でマスタークロックの調整が行われる。再生装置側で調整するため、増幅装置側のマスタークロックが変動しない。従って、ＶＣＯによる調整に比べ、ジッターの発生による音質の劣化はない。しかし、ＶＣＸＯは、発振周波数の可変範囲がＶＣＯに比べて狭いため、増幅装置のマスタークロックと再生装置のマスタークロックとのずれが大きくなりＶＣＸＯの可変範囲をはずれた場合は、調整しきれず、音声データの音質が劣化するという問題が発生する。
【００１１】
再生装置から増幅装置にビデオ信号も送信する場合、特許文献１の方法では、増幅装置がビデオ信号を通常どおり出力することができるが、オーディオ信号は、増幅装置のＶＣＯに起因するジッターが発生し、音質が劣化する。一方、特許文献２の方法では、マスタークロックの同期がとれている限り、オーディオ信号を高音質で再生することができる。しかし、再生装置のオーディオ信号送信用のマスタークロックは、増幅装置のマスタークロックに同期したものとなるため、ビデオ信号用マスタークロックとオーディオ信号用マスタークロックとの間の同期がとれなくなり、動画が一瞬停止する、或いは、1コマ分の画像を飛ばして動画が再生されるなどの問題が発生する。
【００１２】
このため、従来は、ＤＶＤ  ＡＵＤＩＯディスクやＣＤＤＡディスク等に格納されている動画を有しないソースについては、受信装置クロック制御モードで再生し、ＤＶＤ  ＶＩＤＥＯディスクなどに格納されている動画を有するソースについては、送信装置クロック制御モードで再生する仕様となっている。これは、上述のように、映像用マスタークロックと音声用マスタークロックとの同期が取れなくなると、動画の再生の際、絵が一瞬停止する、絵が１コマ飛んで再生される、といった問題が発生するためである。
【００１３】
本発明は、上記事情に鑑みてなされたもので、再生装置と増幅装置とを備えるデータ伝送システムにおいて音声データと映像データとを含むデータを再生する場合、再生装置と増幅装置との間のクロックの同期を逸脱しない範囲で、ジッターの発生の少ない再生を実現することを目的とする。
【課題を解決するための手段】
【００１４】
本発明は、受信装置クロック制御モードで動作したことのある増幅装置が接続された場合、音声データと映像データとを含むデータであっても、再生装置と増幅装置とのクロックのずれが、所定の範囲内であれば、受信装置クロック制御モードで再生することができるデータ送受信システムを提供する。
【００１５】
具体的には、映像データおよび音声データの少なくとも一方を含むデータを再生し、送信するデータ送信装置と、前記データ送信装置に接続され、当該接続されたデータ送信装置から受け取った前記データを受信して処理するデータ受信装置とを備えるデータ送受信システムであって、前記データ送信装置は、装置の動作を制御するクロックを送信側クロックとして生成する送信側クロック生成手段と、前記データ受信装置側で、前記送信側クロックに同期したクロックを受信側クロックとして生成して、当該送信側クロックとの同期をとる送信装置クロック制御モードにより前記データ送受信システムのクロックの同期を制御する第一の同期制御手段と、前記データ受信装置で検出した前記受信側クロックと前記送信側クロックとの差異に応じて前記データ送信装置側で、前記送信側クロックを調整することにより、前記受信側クロックと前記送信側クロックとの同期をとる受信装置クロック制御モードにより前記データ送受信システムのクロックの同期を制御する第二の同期制御手段と、音声データおよび映像データのいずれか一方のみのデータの再生を行う場合、前記第一の同期制御手段に動作の制御を行わせ、音声データおよび映像データの両方を含むデータの再生を行う場合、前記第二の同期制御手段に動作の制御を行わせる再生制御手段と、前記接続されているデータ受信装置を特定する受信装置特定手段と、
前記送信側クロックと前記受信側クロックとの差異を検出するクロック差異検出手段と、を備え、前記データ受信装置は、前記受信側クロックを生成する受信側クロック生成手段と、前記受信装置クロック制御モードで動作する場合、前記受信側クロックと前記送信側クロックとの差異を検出し、差異を補正する制御信号を生成し、前記データ送信手段に送出する制御信号生成出力手段と、を備え、前記クロック差異検出手段は、前記制御信号の種別と頻度により差異を検出し、前記再生制御手段は、前記受信装置クロック制御モードでの動作の要求を受け付けると、前記受信装置特定手段で特定したデータ受信装置が、受信装置クロック制御モードで動作したことがある場合、前記クロック差異検出手段が検出した差異が、予め定めた範囲内の場合、前記音声データおよび映像データの両方を含むデータを再生する場合であっても、前記第一の同期制御手段に同期を制御させることを特徴とするデータ送受信システムを提供する。
【発明の効果】
【００１６】
本発明によれば、音声データと映像データとを含むデータを再生装置と増幅装置とを備えるデータ伝送システムにおいて再生する場合、再生装置と増幅装置との間のクロックの同期を逸脱しない範囲で、ジッターの発生の少ない再生を実現する。
【発明を実施するための最良の形態】
【００１７】
＜＜第一の実施形態＞＞
次に、本発明の一実施形態であるＩＥＥＥ１３９４に対応した光ディスク再生装置およびＩＥＥＥ１３９４に対応したＡＶアンプとを備えるシステムについて、図面を用いて説明する。
【００１８】
図１は、本実施形態のＩＥＥＥ１３９４に対応した光ディスク再生装置１００とＩＥＥＥ１３９４に対応したＡＶアンプ２００とを備えるデータ送受信システムのブロック図である。
【００１９】
本図に示すように、光ディスク再生装置１００は、メカユニット部１と、信号処理部２とアプリケーションブロック部３と、出力部４と、システムコントローラ部５とユーザインタフェースブロック部６と、ＤＡＣ（Ｄｉｇｉｔａｌ Ａｎａｌｏｇ Ｃｏｎｖｅｒｔｅｒ）部７と、リモコン送信機８と、マスタークロック生成部９とを備える。
【００２０】
メカユニット部１は、光ディスク１０３から記録信号を検出する光ピックアップおよびスライドモータ/スピンドルモータを搭載した光ピックアップユニット１０１と、光ピックアップおよびスライドモータ/スピンドルモータの駆動を制御するメカ駆動部１０２とを備える。信号処理部２は、メカユニット部１から出力されたＲＦ（Ｒａｄｉｏ-ｆｒｅｑｕｅｎｃｙ）信号を処理するＲＦ信号処理部２０１と、光ピックアップ及びスライドモータ/スピンドルを制御するサーボプロセッサー部２０２と、光ピックアップが検出した記録信号のデータ復調/エラー訂正を行うデータプロセッサー部２０３とを備える。
【００２１】
アプリケーションブロック部３は、信号処理部２から出力されたデータから主映像信号をデコードする主映像デコーダ部３０１と、副映像信号をデコードする副映像デコーダ部３０２と、主映像デコーダ部３０１および副映像デコーダ部３０２から出力されるデジタル映像信号をＮＴＳＣ方式の映像信号にエンコードするＮＴＳＣエンコーダ部３０３と、音声データをデコードする音声デコーダ部３０４とを備える。
【００２２】
出力部４は、アナログ映像信号を出力するアナログ映像信号出力部４０１と、デジタル音声信号を出力するデジタル音声信号出力部４０２と、ＩＥＥＥ１３９４の規定に従ってフォーマットされた音声信号を出力するＩＥＥＥ１３９４音声出力部４０４と、アナログ音声出力部４０３とを備える。ＩＥＥＥ１３９４音声出力部４０４は、ＩＥＥＥ１３９４音声出力ブロック部４０４１を備え、ＩＥＥＥ１３９４音声出力ブロック部４０４１から音声信号を出力する。また、アナログ音声出力部４０３は、アナログマルチチャンネル音声出力端子ＦＬ、ＦＲ、Ｃ、ＳＬ、ＳＲ、ＳＷを備える。
【００２３】
システムコントローラ部５は、システムコントローラ５０１を備え、光ディスク再生装置の動作の制御を行い、ユーザインタフェースブロック部６は、リモコン受光器、操作キー、表示部などを備え、装置の操作及び装置の動作状態の表示を行う。
【００２４】
システムコントローラ部５は、再生を要求するＡＶアンプ２００から、当該ＡＶアンプ２００のモデルＩＤとＧＵＩＤ（Ｇｅｎｅｒａｌ  Ｕｎｉｑｕｅ  Ｉｄｅｎｔｉｆｉｃａｔｉｏｎ）やマックアドレスといった、それぞれの装置を特定するための情報（モデルユニットＩＤ）とを取得し、モデル名を特定し、ユーザインタフェースブロック６の表示部に表示させるデバイス特定処理部と、受信装置クロック制御モードで動作させる場合、ＡＶアンプ２００のマスタークロックが、予め定められた値（規定値）からどの程度ずれているかを検出するマスタークロック変動監視部と、接続されたＡＶアンプ２００が要求する動作のモードを判別する動作モード判別部と、接続されたＡＶアンプ２００が再生を要求するデータの種別を判別するデータ種別判別部と、接続されたＡＶアンプ２００が、受信装置クロック制御モードで再生した場合、その旨を記録する動作モード設定部と、接続されたＡＶアンプ２００が、受信装置クロック制御モードで再生したことのある製品であるか否かを判別する動作モード設定判別部とを備える。
【００２５】
なお、本実施形態の光ディスク再生装置１００は、各ＡＶアンプ２００毎に、モデルＩＤとモデルユニットＩＤとに対応づけてモデル名を保持するシンクデバイス情報テーブルを、メモリ（不図示）に保持している。上記デバイス特定処理部は、本シンクデバイス情報テーブルを参照し、上記モデル名を特定する。また、シンクデバイス情報テーブルは、各ＡＶアンプ２００毎に、当該ＡＶアンプが受信装置クロック制御モードで再生したことがあるか否か、および、有る場合、そのときのクロックのずれ量を記録する動作モード設定欄を備える。
【００２６】
データ種別判別部は、受信装置クロック制御モードでの動作を要求された場合に、再生を要求するデータの種別が、ＤＶＤ  ＶＩＤＥＯ、すなわち、映像データと音声データとを共に含むデータであるか否かを判別する。
【００２７】
マスタークロック変動監視部は、ＡＶアンプ２００から送信される光ディスク再生装置１００のマスタークロックをコントロールするコマンド（詳細は後述する。）の頻度によって、ずれの量を判断する。このずれの量から、規定値（本実施形態では、例えば、映像データ再生用のマスタークロック）からどの程度ずれているかを検出する。
【００２８】
動作モード設定部は、ＡＶアンプ２００が受信装置クロック制御モードで動作した場合、ＡＶアンプ２００のモデルユニットＩＤに対応づけて、メモリのシンクデバイス情報テーブルの動作モード設定欄に、受信装置クロック制御モード有りを示す情報を記録する。
【００２９】
動作モード設定判別部は、シンクデバイス情報テーブルの動作モード設定欄を参照し、ここに、受信装置クロック制御モード再生有りを意味する情報が記録されているか否かを判別する。また、動作モード設定判別部は、シンクデバイス情報テーブルの動作モード設定欄を参照し、クロックのずれ量に基いて、ＡＶアンプ２００のマスタークロックが規定値の所定範囲内（例えば±５ＰＰＭ未満）に収まっているか否か（ＡＶアンプ２００のマスタークロックの規定値からのずれの値が、予め定められた閾値を越えているか否か）を判別する。
【００３０】
なお、デバイス特定処理部は、ＡＶアンプ２００のモデルＩＤとモデルユニットのＩＤ情報を、ＩＥＥＥ１３９４音声出力ブロック部４０４１から取得する。モデルユニットのＩＤ情報は、製品１台毎に異なるものであり、製品のシリアル番号と同様に、製品を特定する情報として使用することができる。ＡＶアンプ２００のモデルユニットのＩＤ情報は、ＧＵＩＤまたはマックアドレスにより取得できる。
【００３１】
マスタークロック生成部９は、アプリケーションブロック部３を動作させるマスタークロックを生成する。マスタークロック生成部９は、ＶＣＸＯが出力する基準クロックに基づいて、映像用マスタークロックと音声用マスタークロックとをそれぞれ生成し、アプリケーションブロック部３に供給する。
【００３２】
次に、ＡＶアンプ２００の構成について説明する。ＡＶアンプ２００は、入力部１０と、ＤＩＲ（Ｄｉｇｉｔａｌ  Ｉｎｔｅｒｆａｃｅ  Ｒｅｃｅｉｖｅｒ）１１と、ＡＤＣ（Ａｎａｌｏｇ  Ｄｉｇｉｔａｌ  Ｃｏｎｖｅｒｔｅｒ）１２と、マイコン１３と、ＤＳＰ（Ｄｉｇｉｔａｌ Ｓｉｇｎａｌ Ｐｒｏｃｅｓｓｏｒ）１４と、ＤＡＣ（Ｄｉｇｉｔａｌ Ａｎａｌｏｇ Ｃｏｎｖｅｒｔｅｒ）１５と、ＡＭＰ（ａｍｐｌｉｆｉｅｒ）１６と、マスタークロック生成部１７と、ビデオ出力部１８とを備える。
【００３３】
入力部１０は、アナログ映像出力部４０１から出力されたアナログ映像信号を受信するアナログ映像入力部１００４と、デジタル音声出力部４０２から出力されたデジタル音声信号を受信するデジタル音声入力部１００１と、ＩＥＥＥ１３９４音声入力ブロック部１００３１を備え、ＩＥＥＥ１３９４音声出力部４０４から出力された音声信号を受信するＩＥＥＥ１３９４音声入力部１００３と、アナログ音声出力部４０３のそれぞれの端子から出力されたＦＬ、ＦＲ、Ｃ、ＳＬ、ＳＲ、ＳＷを受信するアナログマルチチャンネル音声入力端子を備えるアナログ音声入力部１００２とを備える。
【００３４】
ＤＩＲ１１は、デジタル音声入力部１００１からデジタル音声信号を受け取り、復調し、ＤＳＰ１４に出力する。
【００３５】
ＩＥＥＥ１３９４音声入力ブロック部１００３１は、ＩＥＥＥ１３９４音声入力部１００３へ入力されたＩＥＥＥ１３９４デジタルデータを復調し、ＤＳＰ１４に出力する。
【００３６】
ＡＤＣ１２は、アナログ音声入力部１００２よりアナログ音声信号を受け取り、デジタルデータに一旦変換し、ＤＳＰ１４に出力する。
【００３７】
ＤＳＰ１４は、ＤＩＲ１１、ＩＥＥＥ１３９４対応ＡＶアンプ音声入力部１００３、ＡＤＣ１２からそれぞれ出力を受け取り、ドルビーデジタル、ｄｔｓ、ドルビーデジタルＥＸ、ｄｔｓＥＳ等の復調を行うと共に、各種サラウンドモードの処理を実施する。
【００３８】
ＤＡＣ１５は、ＤＳＰ１４で復調された音声データをアナログ信号に変換し、ＡＭＰ１６に出力する。ＡＭＰ１６では、受け取ったアナログ信号を、増幅し、各スピーカ（ＦＬ、ＦＲ、Ｃ、ＳＬ、ＳＲ、ＳＷ）より音声として出力する。
【００３９】
マスタークロック生成部１７は、ＩＥＥＥ１３９４音声入力ブロック部１００３１に入力されたＩＥＥＥ１３９４デジタルデータに同期したマスタークロックを生成する。これは、ＩＥＥＥ１３９４音声入力ブロック部１００３１に入力されたＩＥＥＥ１３９４デジタルデータを正しく復調するために用いるクロックである。マスタークロック生成部１７は、発振周波数固定水晶発振器を備えたＶＣＯ回路を使用したＰＬＬ（Ｐｈａｓｅｄ  Ｌｏｏｋｅｄ  Ｌｏｏｐ）回路を有する。
【００４０】
ビデオ出力部１８は、アナログ映像入力部１００４で受信したアナログ映像信号を受け取り、モニタに出力する。
【００４１】
マイコン１３は、ＡＶアンプ２００の動作制御を行う。マイコン１３は、光ディスク再生装置１００から、送信装置クロック制御モードでの動作の指示を受け取った場合、マスタークロック生成部１７に、入力されたデジタルデータに同期したクロックを生成させる送信装置クロック制御モード指示部と、受信装置クロック制御モードでの動作の指示を受け取った場合、入力されたデジタルデータから抽出される光ディスク再生装置１００のマスタークロックとマスタークロック生成部１７で生成するＡＶアンプ２００のマスタークロックとのずれを検出するずれ検出部と、前記ずれ検出部で検出したずれに応じて、後述するコマンドを生成し、光ディスク再生装置１００へ送出するコマンド生成部と、光ディスク再生装置１００に動作モードを要求する動作モード要求手段と、光ディスク再生装置１００に再生するデータを指示する再生データ指示手段と、を備える。
【００４２】
マイコン１３は、受信装置クロック制御モード（ＣＢＲＣ）で動作しようとする場合は、受信装置クロック制御モードで動作可能か否かを光ディスク再生装置に通知し、光ディスク再生装置が受信装置クロック制御モードで動作を許可した場合は、マイコン１３の制御により、周波数固定水晶発振器を用いて受信装置クロック制御モードで動作を開始し、光ディスク再生装置が受信装置クロック制御モードで動作を拒否した場合は、マイコン１３の制御により、ＶＣＯ発振器を用いた送信装置クロック制御モード（ＳＢＲＣ）で動作を開始する。
【００４３】
次に、受信装置クロック制御モード時のデータ復調について、説明する。
【００４４】
ＡＶアンプ２００は、送信装置クロック制御モードで動作する場合、光ディスク再生装置１００のマスタークロックに同期したマスタークロックを使用する必要があるが、受信装置クロック制御モードで動作する場合は、ＡＶアンプ２００のマスタークロック生成部１７で生成するマスタークロックを使用することができる。
【００４５】
この場合、光ディスク再生装置１００とＡＶアンプ２００とは、それぞれ自身で生成したマスタークロックを使用するため、両マスタークロックが同期しない問題が発生する可能性がある。これは、ＩＥＥＥ１３９４の規格で定められているＡＶアンプ２００（受信側装置）から光ディスク再生装置１００（送信側装置）のマスタークロックをコントロールする為の、ＦＡＳＴ(+１%)、ＳＬＯＷ(-１%)、ＳＴＡＮＤＡＲＤ(０%)の各コマンドを、ＡＶアンプ２００から光ディスク再生装置１００へ、ＩＥＥＥ１３９４で定められたプロトコルに従って送信し、制御する。
【００４６】
すなわち、ＡＶアンプ２００は、両マスタークロックの不整合をモニタし、定期的に、光ディスク再生装置１００へＦＡＳＴ(+１%)、ＳＬＯＷ(-１%)、ＳＴＡＮＤＡＲＤ(０%)のいずれかのコマンドを送信する。所定の範囲内であれば、ＳＴＡＮＤＡＲＤ(０%)コマンドを光ディスク再生装置１００のマスタークロックがＡＶアンプ２００のマスタークロックより所定以上遅いことを検出した場合は、ＦＡＳＴ(+１%)コマンドを、逆の場合は、ＳＬＯＷ(-１%)コマンドを送出する。
【００４７】
一方、光ディスク再生装置１００では、ＦＡＳＴ(+１%)、ＳＬＯＷ(-１%)、ＳＴＡＮＤＡＲＤ(０%)の各コマンドを受け取り、それぞれのコマンドに従って、システムコントローラ５０１が、マスタークロック生成部９をコントロールし、マスタークロックを同期させる。すなわち、ＳＴＡＮＤＡＲＤ(０%)コマンドを受信した場合は、そのまま、ＦＡＳＴ(+１%)コマンドを受信した場合は、マスタークロックを１％早め、ＳＬＯＷ（-１％）コマンドを受信した場合は、逆の処理を行う。
【００４８】
次に、本実施形態における送信装置クロック制御モードによる再生と、受信装置クロック制御モードによる再生との切り替えの手順について説明する。図２は、本実施形態における送信装置クロック制御モードと受信装置クロック制御モードとの切り替え手順のフローチャートである。
【００４９】
ＡＶアンプ２００がＩＥＥＥ１３９４インタフェースにより接続され、ＡＶアンプ２００から再生の指示を受け付けると、光ディスク再生装置１００のシステムコントローラ部５（のデバイス特定処理部）は、接続されたＡＶアンプ２００を特定する（ステップＳ０１）。
【００５０】
次に、システムコントローラ部５（の動作モード設定判別部）は、ステップＳ０１で特定されたＡＶアンプ２００が、受信装置クロック制御モード（以後、図面では、ＣＢＲＣと記述する。）で動作したことがある製品か否かを判別する（ステップＳ０２）。
【００５１】
受信装置クロック制御モードで動作したことがない製品の場合、システムコントローラ部５（の動作モード判別部）は、接続されたＡＶアンプ２００が要求する動作の種別を判別する（ステップＳ１１）。
【００５２】
送信装置クロック制御モード（以後、図面ではＳＢＲＣと記述する。）での動作を指示されている場合は、システムコントローラ部５は、全てのデータの再生が終わるまで、送信装置クロック制御モードで再生する（ステップＳ１２、Ｓ１３）。
【００５３】
ステップＳ１１において、受信装置クロック制御モードでの動作を指示されている場合、システムコントローラ部５（のデータ種別判別部）は、再生するデータの種別を判別する（ステップＳ１４）。
【００５４】
再生するデータの種別が、映像データおよび音声データのいずれか一方である場合、すなわちＤＶＤ  ＶＩＤＥＯデータ以外の場合は、指示どおり受信装置クロック制御モードで再生を開始し（ステップＳ１５）、所定時間（例えば、４秒）以上再生した後に、システムコントローラ部５（の動作モード設定部）が、１番目のデータの再生の場合、シンクデバイス情報テーブルの動作モード設定欄に、受信装置クロック制御モード再生有りを意味する情報およびクロックのずれ量を記録し（ステップＳ１６）、最終データでない限り、次のデータの判別に戻る（ステップＳ１７）。
【００５５】
一方、ステップＳ１４において、映像データおよび音声データの両方を含むデータ、すなわち、ＤＶＤ  ＶＩＤＥＯデータの場合は、受信装置クロック制御モードでの再生が指示されているにもかかわらず、送信装置クロック制御モードで再生し（ステップＳ１８）、最終データでない限り、次のデータの判別に戻る（ステップＳ１９）。
【００５６】
ステップＳ１３、ステップＳ１７およびステップＳ１９において、最終データの再生が終了した場合、あるいは、再生終了の指示を受けた場合、処理を終了する。
【００５７】
一方、ステップＳ０２において、接続されたＡＶアンプ２００が、受信装置クロック制御モードで再生したことがある装置と判別された場合、システムコントローラ部５（の動作モード判別部）は、接続されたＡＶアンプ２００が要求する動作の種別を判別する（ステップＳ２１）。
【００５８】
送信装置クロック制御モードでの動作を指示されている場合は、システムコントローラ部５は、全てのデータの再生が終わるまで、送信装置クロック制御モードで再生する（ステップＳ２２、Ｓ２３）。
【００５９】
一方、ステップＳ２１において、受信装置クロック制御モードでの動作を指示されている場合は、システムコントローラ部５（のデータ種別判別部）は、再生するデータの種別を判別する（ステップＳ２４）。
【００６０】
再生するデータの種別が、映像データおよび音声データのいずれか一方である場合、すなわちＤＶＤ  ＶＩＤＥＯデータ以外の場合は、指示どおり受信装置クロック制御モードで再生し（ステップＳ２５）、最終データでない限り、次のデータの種別の判別に戻る（ステップＳ２６）。
【００６１】
一方、ステップＳ２４において、映像データおよび音声データの両方を含むデータ、すなわち、ＤＶＤ  ＶＩＤＥＯデータの場合は、システムコントローラ部５（のマスタークロック変動監視部）は、以前再生したモードでのクロックのずれ量に基づいて、当該ずれの量が予め定めた所定範囲に収まっているか否か（予め定めた閾値を超えているか否か）を判別する（ステップＳ２７）。
【００６２】
所定範囲に収まっている場合、システムコントローラ部５は、指示どおり受信装置クロック制御モードで再生し（ステップＳ２５）、最終データで無い限り、次のデータの種別の判別に戻る（ステップＳ２６）。
【００６３】
一方、ステップＳ２７において、所定範囲外と判別された場合、システムコントローラ部５は、送信装置クロック制御モードで再生し（ステップＳ２８）、最終データでない限り、次のデータの判別に戻る（ステップＳ２９）。
【００６４】
ステップＳ２３、ステップＳ２６およびステップＳ２９において、最終データの再生が終了した場合、あるいは、再生終了の指示を受けた場合、処理を終了する。
【００６５】
以上により、本実施形態のデータ送受信システムでは、モデルユニットＩＤを使用して、接続されたＡＶアンプ２００を特定し、接続されたＡＶアンプ２００が、受信装置クロック制御モードで再生されたことがあるものの場合、当該ＡＶアンプ２００のマスタークロックの規定値からのずれが予め定めた閾値以内であることを条件に、映像データと音声データとの両方を有するデータを再生する時、受信装置クロック制御モードでの動作を行うことができる。
【００６６】
以上の構成を有することにより、本実施形態によれば、音声データと映像データの両データを含むデータを再生する場合、両データの同期がとれる範囲で、音質の劣化の少ない再生がなされることとなる。
【００６７】
なお、ずれ量が±５ＰＰＭ未満の範囲に収まっていれば、約２時間程度の動画の絵が一瞬停止する、絵が１コマ飛んで再生されてしまうといった問題が発生しないことが知られている。このため、本実施形態では、所定値として、±５ＰＰＭの場合を例に挙げて説明しているが、この値はこれに限られない。再生するディスクのトータル再生時間などを勘案し、任意の値としてもよい。
【００６８】
また、ダブルレイヤーディスクの場合は、レイヤーチェンジ等を利用し、映像と音声とを同期させるＬＩＰ  ＳＩＮＫの調整を行い、トータル再生時間ではなくレイヤーチェンジまでの時間を勘案し、任意の値としても良い。また、処理フローは、上記のルーチン以外であってもよい。
【００６９】
また、上記の実施形態においては、ＩＥＥＥ１３９４対応光ディスク再生装置を例にあげて説明したが、全てのＩＥＥＥ１３９４対応ソースデバイス装置にも、本発明は適用できる。
【００７０】
＜＜第二の実施形態＞＞
次に、本発明の第二の実施形態であるＩＥＥＥ１３９４に対応した光ディスク再生装置およびＩＥＥＥ１３９４に対応したＡＶアンプとを備えるデータ送受信システムについて、図面を用いて説明する。
【００７１】
本実施形態のＩＥＥＥ１３９４に対応した光ディスク再生装置１００とＩＥＥＥ１３９４に対応したＡＶアンプ２００とを備えるデータ送受信システムの構成は、基本的に図１に示す第一の実施形態のデータ送受信システムと同様である。以下、第一の実施形態と異なる構成についてのみ取り上げ、説明する。
【００７２】
システムコントローラ部５は、再生を要求するＡＶアンプ２００から、当該ＡＶアンプ２００のモデルＩＤとＧＵＩＤ（Ｇｅｎｅｒａｌ  Ｕｎｉｑｕｅ  Ｉｄｅｎｔｉｆｉｃａｔｉｏｎ）やマックアドレスといった、それぞれの装置を特定するための情報（モデルユニットＩＤ）と取得し、シンクデバイス情報テーブルを参照してモデル名を特定し、ユーザインタフェースブロック６の表示部に表示させるデバイス特定処理部と、受信装置クロック制御モードで動作させる場合、ＡＶアンプ２００のマスタークロックが、予め定められた値（規定値）からどの程度ずれているかを検出するマスタークロック変動監視部と、接続されたＡＶアンプ２００が要求する動作のモードを判別する動作モード判別部と、接続されたＡＶアンプ２００が再生を要求するデータの種別を判別するデータ種別判別部と、接続されたＡＶアンプ２００に既に動作モードが設定されているか否かを判別する動作モード設定判別部とを備える。
【００７３】
データ種別判別部は、受信装置クロック制御モードでの動作を要求された場合に、再生を要求するデータの種別が、ＤＶＤ  ＶＩＤＥＯ、すなわち、映像データと音声データとを共に含むデータであるか否かを判別する。
【００７４】
マスタークロック変動監視部は、ＡＶアンプ２００から送信される光ディスク再生装置１００のマスタークロックをコントロールするコマンド（詳細は後述する。）の頻度によって、ずれの量を判断する。このずれの量から、規定値（本実施形態では、例えば、映像データ再生用のマスタークロック）からどの程度ずれているかを検出する。そして、受信装置クロック制御モードでの再生動作を終了した時点で、ＡＶアンプ２００のマスタークロックが規定値の所定範囲内（例えば±５ＰＰＭ未満）に収まっているか否か（ＡＶアンプ２００のマスタークロックの規定値からのずれの値が、予め定められた閾値を越えているか否か）を判別する。そして、閾値を越えている場合、ＡＶアンプ２００のモデルユニットＩＤに対応づけて、メモリのシンクデバイス情報テーブルの動作モード設定欄に、送信装置クロック制御モードと記録する。
【００７５】
動作モード設定判別部は、シンクデバイス情報テーブルの動作モード設定欄を参照し、ここに、送信装置クロック制御モードと記録されているか否かを判別する。
【００７６】
なお、デバイス特定処理部は、ＡＶアンプ２００のモデルＩＤとモデルユニットのＩＤ情報を、ＩＥＥＥ１３９４音声出力ブロック部４０４１から取得する。モデルユニットのＩＤ情報は、製品１台毎に異なるものであり、製品のシリアル番号と同様に、製品を特定する情報として使用することができる。ＡＶアンプ２００のモデルユニットのＩＤ情報は、ＧＵＩＤまたはマックアドレスにより取得できる。
【００７７】
次に、本実施形態における送信装置クロック制御モードによる再生と、受信装置クロック制御モードによる再生との切り替え手順について説明する。図３は、本実施形態における送信装置クロック制御モードと受信装置クロック制御モードとの切り替え手順のフローチャートである。
【００７８】
ＡＶアンプ２００がＩＥＥＥ１３９４インタフェースにより接続され、ＡＶアンプ２００から再生の指示を受け付けると、光ディスク再生装置１００のシステムコントローラ部５（のデバイス特定処理部）は、接続されたＡＶアンプ２００を特定する（ステップＳ１０１）。
【００７９】
次に、システムコントローラ部５（の動作モード判別部）が、接続されたＡＶアンプ２００が要求する動作の種別を判別する。ここでは、送信装置クロック制御モード（以後、図面ではＳＢＲＣと記述する。）または受信装置クロック制御モード（以後、図面ではＣＢＲＣと記述する。）のいずれかを判別する（ステップＳ１０２）。
【００８０】
ここで、送信装置クロック制御モードの動作モードでの再生を要求していると判別された場合、システムコントローラ部５は、指示に従って、送信装置クロック制御モードで再生し（ステップＳ１０３）、全てのデータの終了が終わると、処理を終了する（ステップＳ１０４）。
【００８１】
一方、ステップＳ１０２において、受信装置クロック制御モードの動作モードでの再生を要求していると判別された場合、システムコントローラ部５（のデータ種別判別部）は、接続されたＡＶアンプ２００が再生を要求するデータの種別を判別する。ここでは、音声データと映像データとの両方を含むデータ（例えば、ＤＶＤ  ＶＩＤＥＯデータ）か、いずれか一方のみのデータかを判別する（ステップＳ１０５）。
【００８２】
いずれか一方のみのデータと判別された場合、システムコントローラ部５は、受信装置クロック制御モードで再生する（ステップＳ１０８）。
【００８３】
一方、ＤＶＤ  ＶＩＤＥＯデータと判別された場合、システムコントローラ部５（の動作モード設定判別部）は、シンクデバイス情報テーブルを参照し、ステップＳ１０１で判別したモデルユニットＩＤに対応づけて、次回再生モードが記録されているか否かを判別する（ステップＳ１０６）。
【００８４】
次回再生モードが記録されていると判別された場合、送信装置クロック制御モードで再生する（ステップＳ１１０）。
【００８５】
一方、ステップＳ１０６において、次回再生モードが記録されていないと判別された場合、システムコントローラ部５（の動作モード設定判別部）は、以前に再生したときのモードでのクロックずれ量に基づいて、接続されたＡＶアンプ２００のマスタークロックの規定値からのずれの値が所定の範囲内に収まっているか否かを判別する（ステップＳ１０７）。
【００８６】
所定の範囲内に収まっている場合、システムコントローラ部５は、受信装置クロック制御モードで再生する（ステップＳ１０８）。
【００８７】
一方、ステップＳ１０７において、所定の範囲外と判別された場合は、システムコントローラ部５（のマスタークロック変動監視部）は、ステップＳ１０１で判別したモデルユニットＩＤに対応づけて、次回再生モードとして送信装置クロック制御モードを、シンクデバイス情報テーブルに記録する（ステップＳ１０９）。そして、システムコントローラ部５は、送信装置クロック制御モードで再生する（ステップＳ１１０）。
【００８８】
接続されたＡＶアンプ２００からの動作モードの指示が、受信装置クロック制御モードであった場合、全てのデータの再生を終えるまで、ステップＳ１０５からの処理を繰り返し、処理を終了する（ステップＳ１１１）。
【００８９】
以上の動作により、送信装置クロック制御モードでの動作が指示された場合は、指示に従って送信装置クロック制御モードで再生され、受信装置クロック制御モードでの動作が指示された場合は、１）再生対象のデータが、音声データまたは映像データのいずれか一方であれば、指示どおり受信装置クロック制御モードで再生され、２）再生対象のデータが音声データおよび映像データの両データを含む場合であって、ＡＶアンプ２００のマスタークロックのずれが閾値を超えたことがなく、かつ、現時点のＡＶアンプ２００のマスタークロックのずれが閾値を越えていない場合は、指示どおり受信装置クロック制御モードで再生され、３）再生対象のデータが音声データおよび映像データの両データを含む場合であって、ＡＶアンプ２００のマスタークロックのずれが既に閾値を超えたことがあり、または、現時点のＡＶアンプ２００のマスタークロックのずれが閾値を越えている場合は、指示が受信装置クロック制御モードであっても、送信装置クロック制御モードで再生される。
【００９０】
すなわち、再生対象のデータが音声データおよび映像データの両データを含む場合は、一度でもＡＶアンプ２００のマスタークロックのずれが閾値を超えたことがあれば、その後は、強制的に送信装置クロック制御モードで再生されることとなる。
【００９１】
以上の構成を有することにより、本実施形態によれば、音声データと映像データの両データを含むデータを再生する場合、再生開始時から両データの同期がとれる範囲で、音質の劣化の少ない再生がなされることとなる。
【００９２】
なお、本実施形態においても、第一の実施形態と同様に、所定値は、再生するディスクのトータル再生時間などを勘案し、任意の値としてもよい。ダブルレイヤーディスクの場合も同様である。また、処理フローは、上記のルーチン以外であってもよい。
【００９３】
さらに、上記の実施形態においては、ＩＥＥＥ１３９４対応光ディスク再生装置を例にあげて説明したが、全てのＩＥＥＥ１３９４対応ソースデバイス装置にも適用できる。
【００９４】
＜＜第三の実施形態＞＞
次に、本発明の第三の実施形態を、図面を用いて説明する。本実施形態のデータ送受信システムも、第一の実施形態のデータ送受信システム同様、図１に示すＩＥＥＥ１３９４対応光ディスク再生装置１００とＩＥＥＥ１３９４対応ＡＶアンプ２００とを備える。
【００９５】
ＩＥＥＥ１３９４対応光ディスク再生装置１００およびＩＥＥＥ１３９４対応ＡＶアンプ２００のそれぞれの構成も、第一の実施形態と基本的に同様である。
【００９６】
ただし、マスタークロック生成部９は、映像用マスタークロックを生成する映像用マスタークロック生成部９０１および音声用マスタークロックを生成する音声用マスタークロック生成部９０２に加え、音声用マスタークロックセレクタ９０３を備える。本実施形態のマスタークロック生成部９の構成図を図４に示す。
【００９７】
音声用マスタークロックセレクタ９０３は、ＡＶアンプ２００側のマスタークロックの規定値からのずれの値が、所定範囲（例えば、±３０ＰＰＭ）以内であれば、光ディスク再生装置１００の映像用マスタークロック生成部９０１で生成された映像用マスタークロックを、音声用マスタークロックに同期させる。
【００９８】
図５は、映像用マスタークロック生成部９０１および音声マスタークロック生成部９０２の回路図である。図５（ａ）は、映像用マスタークロック生成部９０１の回路図であり、図５（ｂ）は、音声用マスタークロック生成部９０２の回路図である。映像用マスタークロック生成部９０１は、音声用マスタークロックセレクタ９０３からの指示に従って、出力クロックを変動させる。
【００９９】
次に、本実施形態における送信装置クロック制御モードによる再生と、受信装置クロック制御モードによる再生との切替手順について説明する。図６は、本実施形態における送信装置クロック制御モードと受信装置クロック制御モードとの切替手順のフローチャートである。
【０１００】
ＡＶアンプ２００がＩＥＥＥ１３９４インタフェースにより接続され、ＡＶアンプ２００から再生の指示を受け付けると、光ディスク再生装置１００のシステムコントローラ部５（のデバイス特定処理部）は、接続されたＡＶアンプ２００を特定する（ステップＳ２０１）。
【０１０１】
次に、システムコントローラ部５（の動作モード設定判別部）は、ステップＳ２０１で特定されたＡＶアンプ２００が、受信装置クロック制御モード（以後、図面では、ＣＢＲＣと記述する。）で動作したことがある製品か否かを判別する（ステップＳ２０２）。
【０１０２】
受信装置クロック制御モードで動作したことがない製品の場合、システムコントローラ部５（の動作モード判別部）は、接続されたＡＶアンプ２００が要求する動作の種別を判別する（ステップＳ２１１）。
【０１０３】
送信装置クロック制御モード（以後、図面ではＳＢＲＣと記述する。）での動作を指示されている場合は、システムコントローラ部５は、全てのデータの再生が終わるまで、送信装置クロック制御モードで再生する（ステップＳ２１２、Ｓ２１３）。
【０１０４】
ステップＳ２１１において、受信装置クロック制御モードでの動作を指示されている場合、システムコントローラ部５（のデータ種別判別部）は、再生するデータの種別を判別する（ステップＳ２１４）。
【０１０５】
再生するデータの種別が、映像データおよび音声データのいずれか一方である場合、すなわちＤＶＤ  ＶＩＤＥＯデータ以外の場合は、指示どおり受信装置クロック制御モードで再生を開始し（ステップＳ２１５）、所定時間（例えば、４秒）以上再生した後にシステムコントローラ部５（の動作モード設定部）が、ＡＶアンプ２００で最初（１番目）のデータの再生の場合、シンクデバイス情報テーブルの動作モード設定欄に、受信装置クロック制御モード再生有りを意味する情報およびクロックのずれ量を記録し（ステップＳ２１６）、最終データでない限り、次のデータの判別に戻る（ステップＳ２１７）。
【０１０６】
一方、ステップＳ２１４において、映像データおよび音声データの両方を含むデータ、すなわち、ＤＶＤ  ＶＩＤＥＯデータの場合は、受信装置クロック制御モードでの再生が指示されているにもかかわらず、送信装置クロック制御モードで再生し（ステップＳ２１８）、最終データでない限り、次のデータの判別に戻る（ステップＳ２１９）。
【０１０７】
ステップＳ２１３、ステップＳ２１７およびステップＳ２１９において、最終データの再生が終了した場合、あるいは、再生終了の指示を受けた場合、処理を終了する。
【０１０８】
一方、ステップＳ２０２において、接続されたＡＶアンプ２００が、受信装置クロック制御モードで再生したことがある装置と判別された場合、システムコントローラ部５（の動作モード判別部）は、接続されたＡＶアンプ２００が要求する動作の種別を判別する（ステップＳ２２１）。
【０１０９】
送信装置クロック制御モードでの動作を指示されている場合は、システムコントローラ部５は、全てのデータの再生が終わるまで、送信装置クロック制御モードで再生する（ステップＳ２２２、Ｓ２２３）。
【０１１０】
一方、ステップＳ２２１において、受信装置クロック制御モードでの動作を指示されている場合は、システムコントローラ部５（のデータ種別判別部）は、再生するデータの種別を判別する（ステップＳ２２４）。
【０１１１】
再生するデータの種別が、映像データおよび音声データのいずれか一方である場合、すなわちＤＶＤ  ＶＩＤＥＯデータ以外の場合は、指示どおり受信装置クロック制御モードで再生し（ステップＳ２２５）、最終データでない限り、次のデータの種別の判別に戻る（ステップＳ２２６）。
【０１１２】
一方、ステップＳ２２４において、映像データおよび音声データの両方を含むデータ、すなわち、ＤＶＤ  ＶＩＤＥＯデータの場合は、システムコントローラ部５（のマスタークロック変動監視部）は、以前に再生したときのモードでのクロックのずれ量に基づいて、当該ずれの量を検出し、予め定めた所定範囲に収まっているか否か（予め定めた閾値を超えているか否か）を判別する（ステップＳ２２７）。
【０１１３】
所定範囲に収まっている場合、システムコントローラ部５は、マスタークロック生成部９の音声用マスタークロックセレクタ９０３に、映像用マスタークロックを音声用マスタークロックに同期させるよう指示をする（ステップＳ２３０）。音声用マスタークロックセレクタ９０３は、指示を受けて、映像用マスタークロック生成部９０１が生成する映像用マスタークロックを、音声用マスタークロックに同期させる。
【０１１４】
そして、映像用マスタークロックの同期が完了すると、システムコントローラ部５は、指示どおり受信装置クロック制御モードで再生し（ステップＳ２２５）、最終データで無い限り、次のデータの種別の判別に戻る（ステップＳ２２６）。
【０１１５】
一方、ステップＳ２２７において、所定範囲外と判別された場合、システムコントローラ部５は、送信装置クロック制御モードで再生し（ステップＳ２２８）、最終データでない限り、次のデータの判別に戻る（ステップＳ２２９）。
【０１１６】
ステップＳ２２３、ステップＳ２２６およびステップＳ２２９において、最終データの再生が終了した場合、あるいは、再生終了の指示を受けた場合、処理を終了する。
【０１１７】
なお、上記においては、音声用マスタークロックのずれを、規定値から±３０ＰＰＭとしたが、所定範囲の設定は、これに限られない。モニタの映像の同期が取れる範囲の任意の値を設定可能である。
【０１１８】
以上説明したように、本実施形態のデータ送受信システムでは、モデルユニットＩＤを使用して、接続されたＡＶアンプ２００を特定し、接続されたＡＶアンプ２００が、受信装置クロック制御モードで再生されたことがあるものの場合、当該ＡＶアンプ２００のマスタークロックの規定値からのずれが予め定めた閾値以内であることを条件に、映像データと音声データとの両方を有するデータを再生する時、受信装置クロック制御モードでの動作を行うことができる。本実施形態では、予め定めた閾値内であり、受信装置クロック制御モードで再生する際に、映像用マスタークロックと音声用マスタークロックとを同期させる構成となっているため、第一の実施形態に比べ、よりずれの値の閾値を大きくとることが可能となる。
【０１１９】
また、本実施形態では、モデルユニットＩＤ（ＧＵＩＤ＝ｎｏｄｅ＿ｖｅｎｄｅｒ＿ＩＤ＋ｃｈｉｐ＿ＩＤ）を使用し、接続されたＡＶアンプ２００一台毎に測定し、判別するルーチンとしているが、これに限られない。例えば、同一メーカのＡＶアンプ２００のマスタークロックが必ず規格内に入っていることが予めわかっている場合は、ｎｏｄｅ＿ｖｅｎｄｅｒ＿ＩＤ（メーカごとのＩＤ）を使用し、同一メーカのＡＶアンプ２００と接続された場合は、映像用マスタークロックと音声用マスタークロックとを同期させ、音声データと映像データとを備えるデータすなわちＤＶＤ  ＶＩＤＥＯデータを再生する時、過去に受信装置クロック制御モードで再生されたことがあるか否かに係わらず、受信装置クロック制御モード再生を実施するルーチンとしても良い。
【０１２０】
さらにモデルユニットＩＤを使用しない場合でも、受信装置クロック制御モードへの切り替えを実施するよう構成してもよい。例えば、ＡＶアンプ２００のマスタークロックの規定値からのずれの値が、所定範囲内に収まっている場合（上述の例では±３０ＰＰＭ）、受信装置クロック制御モードへ切り替える構成にしてもよい。また、切り替えるポイントは、各データ単位だけでなく、トラックまたはチャプターといった音声データの微小レベル区間の単位であってもよい。
【０１２１】
本実施形態においても、ＩＥＥＥ１３９４対応光ディスク再生装置を例にあげて説明したが、全てのＩＥＥＥ１３９４対応ソースデバイス装置にも、本発明は適用できる。
【０１２２】
以上説明したように、上記全ての実施形態によれば、データ送信装置とデータ受信装置との間でのビデオ信号及びオーディオ信号の伝送において、適応的にマスタークロックの周波数を変更することができるデータ送受信シスタム、データ送信装置及びデータ受信装置を提供することができる。
【図面の簡単な説明】
【０１２３】
【図１】図１は、第一の実施形態の光ディスク再生装置とＡＶアンプとを備えるデータ送受信システムのブロック図である。
【図２】図２は、第一の実施形態における送信装置クロック制御モードと受信装置クロック制御モードとの切り替え手順のフローチャートである。
【図３】図３は、第二の実施形態における送信装置クロック制御モードと受信装置クロック制御モードとの切り替え手順のフローチャートである。
【図４】図４は、第三の実施形態のマスタークロック生成部の構成図である。
【図５】図５は、第三の実施形態の映像用マスタークロック生成部および音声マスタークロック生成部の回路図である。
【図６】図６は、第三の実施形態における送信装置クロック制御モードと受信装置クロック制御モードとの切り替え手順のフローチャートである。
【符号の説明】
【０１２４】
１００：ＩＥＥＥ１３９４対応光ディスク再生装置、２００：ＩＥＥＥ１３９４対応光ディスク再生装置、１：メカユニット部、２：信号処理部、３：アプリケーションブロック部、４：出力部、５：システムコントローラ部、６：ユーザインタフェースブロック部６、７：ＤＡＣ（Ｄｉｇｉｔａｌ Ａｎａｌｏｇ Ｃｏｎｖｅｒｔｅｒ）部７、８：リモコン送信機８、９：マスタークロック生成部９、１０：入力部、１１：ＤＩＲ、１２：ＡＤＣ、１３：マイコン、１４：ＤＳＰ、１５：ＤＡＣ、１６：ＡＭＰと、１７：マスタークロック生成部、１８：ビデオ出力部
【図１】
2006261777.tif 000003
【図２】
2006261777.tif 000004
【図３】
2006261777.tif 000005
【図４】
2006261777.tif 000006
【図５】
2006261777.tif 000007
【図６】
2006261777.tif 000008